【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
複数の情報処理装置と、前記複数の情報処理装置に対して電力供給と冷却のいずれか一方または両方を行う設備とを備える情報処理システムの運用管理方法であって、
前記複数の情報処理装置の位置と、前記設備の位置および環境情報とを取得し、
各情報処理装置で実行される作業負荷量に対する各情報処理装置の消費電力の関数を求め、
前記複数の情報処理装置で実行される作業負荷の各情報処理装置への割当ての組合せに対して、前記関数に基づいて各情報処理装置の消費電力を求め、
前記各情報処理装置の消費電力と、前記複数の情報処理装置の位置と、前記設備の位置および環境情報とに基づいて、前記組合せに対して必要とされる前記設備の消費電力を求め、
前記組合せの間で、前記各情報処理装置の消費電力と前記設備の消費電力とを含む前記情報処理システムの消費電力を比較して、前記組合せの内から一を選択することを特徴とする情報処理システムの運用管理方法。
【請求項２】
請求項１に記載の情報処理システムの運用管理方法において、
前記組合せの選択では、前記組合せの内から前記情報処理システムの消費電力が最小になる組合せを選択することを特徴とする情報処理システムの運用管理方法。
【請求項３】
請求項１に記載の情報処理システムの運用管理方法において、
前記組合せの選択では、近似解法アルゴリズムにより、前記組合せの間で、前記各情報処理装置の消費電力と前記設備の消費電力とを含む前記情報処理システムの消費電力を比較して、前記組合せの内から一を選択することを特徴とする情報処理システムの運用管理方法。
【請求項４】
請求項３に記載の情報処理システムの運用管理方法において、
前記近似解法アルゴリズムには局所探索法が適用されていることを特徴とする情報処理システムの運用管理方法。
【請求項５】
請求項１に記載の情報処理システムの運用管理方法において、
前記設備は前記複数の情報処理装置に対して少なくとも冷却を行い、
前記設備の環境情報は、前記設備の定格出力、流量、流向の少なくともいずれかを含むことを特徴とする情報処理システムの運用管理方法。
【請求項６】
請求項１に記載の情報処理システムの運用管理方法において、
前記複数の情報処理装置は、サーバ装置、ストレージ装置、ネットワーク装置の少なくともいずれかを含むことを特徴とする情報処理システムの運用管理方法。
【請求項７】
複数の情報処理装置と、前記複数の情報処理装置に対して電力供給と冷却のいずれか一方または両方を行う設備とを備える情報処理システムの運用管理プログラムであって、
前記複数の情報処理装置の位置と、前記設備の位置および環境情報とを取得し、
各情報処理装置で実行される作業負荷量に対する各情報処理装置の消費電力の関数を求め、
前記複数の情報処理装置で実行される作業負荷の各情報処理装置への割当ての組合せに対して、前記関数に基づいて各情報処理装置の消費電力を求め、
前記各情報処理装置の消費電力と、前記複数の情報処理装置の位置と、前記設備の位置および環境情報とに基づいて、前記組合せに対して必要とされる前記設備の消費電力を求め、
前記組合せの間で、前記各情報処理装置の消費電力と前記設備の消費電力とを含む前記情報処理システムの消費電力を比較して、前記組合せの内から一を選択することを特徴とする情報処理システムの運用管理プログラム。
【請求項８】
請求項７に記載の情報処理システムの運用管理プログラムにおいて、
前記組合せの選択では、前記組合せの内から前記情報処理システムの消費電力が最小になる組合せを選択することを特徴とする情報処理システムの運用管理プログラム。
【請求項９】
請求項７に記載の情報処理システムの運用管理プログラムにおいて、
前記組合せの選択では、近似解法アルゴリズムにより、前記組合せの間で、前記各情報処理装置の消費電力と前記設備の消費電力とを含む前記情報処理システムの消費電力を比較して、前記組合せの内から一を選択することを特徴とする情報処理システムの運用管理プログラム。
【請求項１０】
請求項９に記載の情報処理システムの運用管理プログラムにおいて、
前記近似解法アルゴリズムには局所探索法が適用されていることを特徴とする情報処理システムの運用管理プログラム。
【請求項１１】
請求項７に記載の情報処理システムの運用管理プログラムにおいて、
前記設備は前記複数の情報処理装置に対して少なくとも冷却を行い、
前記設備の環境情報は、前記設備の定格出力、流量、流向の少なくともいずれかを含むことを特徴とする情報処理システムの運用管理プログラム。
【請求項１２】
請求項７に記載の情報処理システムの運用管理プログラムにおいて、
前記複数の情報処理装置は、サーバ装置、ストレージ装置、ネットワーク装置の少なくともいずれかを含むことを特徴とする情報処理システムの運用管理プログラム。
【請求項１３】
複数の情報処理装置と、前記複数の情報処理装置に対して電力供給と冷却のいずれか一方または両方を行う設備とを備える情報処理システムの運用管理装置であって、
前記複数の情報処理装置の位置と、前記設備の位置および環境情報とを取得する手段と、
各情報処理装置で実行される作業負荷量に対する各情報処理装置の消費電力の関数を求める手段と、
前記複数の情報処理装置で実行される作業負荷の各情報処理装置への割当ての組合せに対して、前記関数に基づいて各情報処理装置の消費電力を求める手段と、
前記各情報処理装置の消費電力と、前記複数の情報処理装置の位置と、前記設備の位置および環境情報とに基づいて、前記組合せに対して必要とされる前記設備の消費電力を求める手段と、
前記組合せの間で、前記各情報処理装置の消費電力と前記設備の消費電力とを含む前記情報処理システムの消費電力を比較して、前記組合せの内から一を選択する手段とを有することを特徴とする情報処理システムの運用管理装置。
【請求項１４】
請求項１３に記載の情報処理システムの運用管理装置において、
前記組合せの選択では、前記組合せの内から前記情報処理システムの消費電力が最小になる組合せを選択することを特徴とする情報処理システムの運用管理装置。
【請求項１５】
請求項１３に記載の情報処理システムの運用管理装置において、
前記組合せの選択では、近似解法アルゴリズムにより、前記組合せの間で、前記各情報処理装置の消費電力と前記設備の消費電力とを含む前記情報処理システムの消費電力を比較して、前記組合せの内から一を選択することを特徴とする情報処理システムの運用管理装置。
【請求項１６】
請求項１５に記載の情報処理システムの運用管理装置において、
前記近似解法アルゴリズムには局所探索法が適用されていることを特徴とする情報処理システムの運用管理装置。
【請求項１７】
請求項１３に記載の情報処理システムの運用管理装置において、
前記設備は前記複数の情報処理装置に対して少なくとも冷却を行い、
前記設備の環境情報は、前記設備の定格出力、流量、流向の少なくともいずれかを含むことを特徴とする情報処理システムの運用管理装置。
【請求項１８】
請求項１３に記載の情報処理システムの運用管理装置において、
前記複数の情報処理装置は、サーバ装置、ストレージ装置、ネットワーク装置の少なくともいずれかを含むことを特徴とする情報処理システムの運用管理装置。
【請求項１９】
複数の情報処理装置と、
前記複数の情報処理装置に対して電力供給と冷却のいずれか一方または両方を行う設備と、
前記複数の情報処理装置の位置、並びに前記設備の位置および環境情報を取得する手段、
各情報処理装置で実行される作業負荷量に対する各情報処理装置の消費電力の関数を求める手段、
前記複数の情報処理装置で実行される作業負荷の各情報処理装置への割当ての組合せに対して、前記関数に基づいて各情報処理装置の消費電力を求める手段、
前記各情報処理装置の消費電力と、前記複数の情報処理装置の位置と、前記設備の位置および環境情報とに基づいて、前記組合せに対して必要とされる前記設備の消費電力を求める手段、
および、前記組合せの間で、前記各情報処理装置の消費電力と前記設備の消費電力とを含む前記情報処理システムの消費電力を比較して、前記組合せの内から一を選択する手段を有する運用管理装置とを備えることを特徴とする情報処理システム。
【請求項２０】
請求項１９に記載の情報処理システムにおいて、
前記組合せの選択では、前記組合せの内から前記情報処理システムの消費電力が最小になる組合せを選択することを特徴とする情報処理システム。
【請求項２１】
請求項１９に記載の情報処理システムにおいて、
前記組合せの選択では、近似解法アルゴリズムにより、前記組合せの間で、前記各情報処理装置の消費電力と前記設備の消費電力とを含む前記情報処理システムの消費電力を比較して、前記組合せの内から一を選択することを特徴とする情報処理システム。
【請求項２２】
請求項２１に記載の情報処理システムにおいて、
前記近似解法アルゴリズムには局所探索法が適用されていることを特徴とする情報処理システム。
【請求項２３】
請求項１９に記載の情報処理システムにおいて、
前記設備は前記複数の情報処理装置に対して少なくとも冷却を行い、
前記設備の環境情報は、前記設備の定格出力、流量、流向の少なくともいずれかを含むことを特徴とする情報処理システム。
【請求項２４】
請求項１９に記載の情報処理システムにおいて、
前記複数の情報処理装置は、サーバ装置、ストレージ装置、ネットワーク装置の少なくともいずれかを含むことを特徴とする情報処理システム。
【手続補正２】
【補正対象書類名】明細書
【補正対象項目名】発明の名称
【補正方法】変更
【補正の内容】
【発明の名称】情報処理システムの運用管理方法、運用管理プログラム、および運用管理装置、ならびに情報処理システム